(57)【要約】【課題】接着剤内に発生する気泡によってコアが圧迫されて屈折したり、切断したりする現象を効率良く防ぎ、光信号の伝送を安定させる光ファイバ伝送線を提供する。【解決手段】コアと、クラッドと、被覆層とを具えてなり、且つ一端の一部クラッドと被覆層を除去し、該コアを適宜な長さだけ露出させるとともに、該被覆層の端面をテーパ状に形成した光ファイバ導線と、光ファイバ導線に接続するコネクタを有し、該コネクタには軸方向に内部を貫通し、該光ファイバ導線のコアを収納する収納孔と、該収納孔に連通し、該光ファイバ導線の被覆層を収納する貫通孔とを形成する。また、該コネクタの収納孔と貫通孔との間に、該被覆層のテーパ状端面に対応するテーパ状開口部を形成する。【選択図】図２
0003102667.tif 000002
【実用新案登録請求の範囲】
【請求項１】
少なくとも一本以上のコアと、該コアの外部表面を被覆するクラッドと、該クラッドを被覆する被覆層とを具えてなり、且つ一端の一部クラッドと被覆層を除去し、該コアを適宜な長さだけ露出させるとともに、該被覆層の端面をテーパ状に形成して、テーパ状端面とする光ファイバ導線と、
軸方向に内部を貫通し、該光ファイバ導線のコアを収納する収納孔と、該収納孔に連通し、該光ファイバ導線の被覆層を収納する貫通孔とを形成してなるコネクタとを含んでなる光ファイバ伝送線において、
該コネクタの収納孔と、貫通孔との間に、該被覆層のテーパ状端面に対応するテーパ状開口部を形成し、
該光ファイバ導線と、該コネクタを接続する場合、該貫通孔と、該テーパ状開口部と、該貫通孔内の熱によって固形化する接着剤を適量注入し、該被覆層のテーパ状端面を該テーパ状開口部に密着させて接着剤を圧迫し、気泡を排出するように構成することを特徴とする光ファイバ伝送線。
【請求項２】
前記コネクタが、コネクタ本体と、グリップ部とを含んでなることを特徴とする請求項１に記載の光ファイバ伝送線。
【考案の詳細な説明】
【技術分野】
【０００１】
この考案は、光ファイバ伝送線に関し、特にコネクタに緊密に接続する光ファイバ導線を有する光ファイバ伝送線に関する。
【背景技術】
【０００２】
光ファイバは直径が短く、周波数帯域が広く、且つ低損失などの多項目にわたる特徴を具える。このため、光ファイバを介する伝送経路は通信業界における主流となっている。目下光ファイバ通信システムの架設作業は、伝送経路となる幹線を設け、更に幹線に複数の分岐線を接続し、それぞれの分岐線を介して光信号をユーザ端末に伝送する。分岐線とユーザ端末との間の信号伝送は、複数の光ファイバ伝送線を連結し、光ファイバ通信の距離を延長させる。
【０００３】
図１、図１Ａに開示するように、従来の光ファイバ伝送線はコネクタ（１）と、光ファイバ導線（２）とによってなる。コネクタ（１）は、コネクタ本体（３）と、コネクタ本体（３）の一端に連結するグリップ部（４）とを具えてなり、コネクタ本体（３）には、内部を軸方向に貫通する収納孔（５）を形成する。また、グリップ部（４）は、内部を軸方向に貫通する貫通孔（６）を形成し、該コネクタ本体（３）とグリップ部（４）とを連結した状態において、収納孔（５）はグリップ部（４）の貫通孔（６）に連通する。収納孔（５）の貫通孔（６）に連結する一端には、テーパ状開口部（１１）を形成する。
【０００４】
光ファイバ導線（２）は、一本か、もしくは一本以上のコア（７）と、該コア（７）を被覆するクラッド（８）と、クラッド（８）を被覆する被覆層（９）とを具えてなる。光ファイバ導線（２）を使用する場合は、一部のクラッド（８）と被覆層（９）を除去してコア（７）を所定の長さだけ露出させる。
【０００５】
光ファイバ導線（２）とコネクタ（１）とは、熱によって固形化する接着剤（１０）を利用して連結する。この場合、コア（７）はコネクタ本体（３）の収納孔（５）内に挿入され、クラッド（８）はグリップ部（４）の貫通孔（６）内に位置する。また、テーパ状開口部（１１）を形成することによってコア（７）がコネクタ本体（３）の収納孔（５）に容易に挿入できるようになる。
【０００６】
接着剤（１０）は貫通孔（６）から注入し、収納孔（５）とテーパ状開口部（１１）と貫通孔（６）に充満させる。接着剤（１０）を注入する過程において、気泡（１２）が発生する。また、光ファイバ導線（２）の被覆層（９）の末端は平坦な端面を有するため、テーパ状開口部（１１）の内壁に密着することができない。このため、気泡（１２）がテーパ状開口部（１１）内においてコア（７）の周囲に集中する。接着剤（１０）は環境温度の変化によって熱膨張、収縮が発生すると、コア（７）は多大な膨張係数の影響を受け、且つ気泡（１２）の圧迫によってコア（７）が屈折したり、切断したりする現象が発生する。このため、電気的特性が損失する。これは解決が待たれる問題である。
【考案の開示】
【考案が解決しようとする課題】
【０００７】
この考案は、光ファイバ導線と、コネクタとを接続する場合に用いる接着剤内に発生する気泡を効率良く排出し、気泡による圧迫でコアが影響を受けることを防ぎ、安定した光信号の伝送が得られる光ファイバ伝送線を提供することを課題とする。
【課題を解決するための手段】
【０００８】
そこで、本考案者は従来の技術に見られる欠点に鑑み鋭意研究を重ねた結果、光ファイバ導線をコネクタに接続してなる光ファイバ伝送線において、該光ファイバ導線のコアを露出させる一端の被覆層端面をテーパ状に形成し、該コネクタ内に形成するコアの収納孔と、クラッドを収納する貫通孔との間に、該被覆層のテーパ状端面に対応する形状のテーパ状開口部を形成してなる光ファイバ伝送線の構造によって課題を解決できる点に着眼し、かかる知見に基づいて本考案を完成させた。
【０００９】
即ち、該コネクタは、コネクタ本体と、該コネクタ本体を連結するグリップ部とによってなり、コネクタ本体には軸方向に内部を貫通する収納孔を形成するとともに、該収納孔のグリップ部側の一端にテーパ状開口部を形成し、該グリップ部には軸方向に内部を貫通する貫通孔を形成するとともに、一端に該コネクタ本体を嵌着する収納溝を形成する。また、光ファイバ導線はコアを所定の長さだけ露出させ、被覆層の端面を該テーパ状開口部に対応するテーパ状端面とし、該収納孔と、テーパ状開口部と、貫通孔に接着剤を充填して光ファイバ導線をコネクタに挿入して連結する。この場合、該光ファイバ導線のテーパ状端面がコネクタ本体のテーパ状開口部に密着し、接着剤内に発生する気泡を圧迫して排出することができ、係る構成によって、この考案の課題を解決する光ファイバ伝送線が得られる。
【００１０】
以下、この考案について具体的に説明する。
請求項１に記載する光ファイバ伝送線は、少なくとも一本以上のコアと、該コアの外部表面を被覆するクラッドと、該クラッドを被覆する被覆層とを具えてなり、且つ一端の一部クラッドと被覆層を除去し、該コアを適宜な長さだけ露出させるとともに、該被覆層の端面をテーパ状に形成して、テーパ状端面とする光ファイバ導線と、軸方向に内部を貫通し、該光ファイバ導線のコアを収納する収納孔と、該収納孔に連通し、該光ファイバ導線の被覆層を収納する貫通孔とを形成してなるコネクタとを含んでなる光ファイバ伝送線において、該コネクタの収納孔と、貫通孔との間に、該被覆層のテーパ状端面に対応するテーパ状開口部を形成し、該光ファイバ導線と、該コネクタを接続する場合、該貫通孔と、該テーパ状開口部と、該貫通孔内の熱によって固形化する接着剤を適量注入し、該被覆層のテーパ状端面を該テーパ状開口部に密着させて接着剤を圧迫し、気泡を排出するように構成する。
【００１１】
請求項２に記載する光ファイバ伝送線は、請求項１におけるコネクタが、コネクタ本体と、グリップ部とを含んでなる。
【考案の効果】
【００１２】
本考案の光ファイバ伝送線は、接着剤内に発生する気泡によってコアが圧迫されて屈折したり、切断したりする現象を効率良く防ぎ、光信号の伝送を安定させるという利点がある。
【考案を実施するための最良の形態】
【００１３】
この考案は、コネクタに緊密に接続する光ファイバ導線を有する光ファイバ伝送線を提供するものであって、光ファイバ導線をコネクタに接続してなる光ファイバ伝送線において、該光ファイバ導線のコアを露出させる一端の被覆層端面をテーパ状に形成し、該コネクタ内に形成するコアの収納孔と、クラッドを収納する貫通孔との間に、該被覆層のテーパ状端面に対応する形状のテーパ状開口部を形成してなる。
係る構成の光ファイバ伝送線について、その構造と特徴を詳述するために具体的な実施例を挙げ、以下に説明する。
【実施例１】
【００１４】
図２に開示するように、この考案による光ファイバ伝送線は、コネクタ（２０）と、光ファイバ導線（３０）とを具えてなり、コネクタ（２０）は、図３に開示するようにコネクタ本体（２１）とグリップ部（２２）とによつてなる。
【００１５】
図４は、実施例によるコネクタ本体（２１）)の断面図である。コネクタ本体（２１）は円柱状を呈し、金属材によってなり、内部を軸方向に貫通する収納孔（２３）を形成する。収納孔（２３）のグリップ部（２２）側の一端にはテーパ状開口部（２４）を形成する。
【００１６】
図５は、実施例によるグリップ部（２２）の断面図である。グリップ部（２２）は金属材によってなり、内部にはコネクタ本体（２１）の一端を収納する収納溝（２５）と、該収納溝（２５）からグリップ部（２２）の一端に至る貫通孔（２６）を形成する。コネクタ本体（２１）をグリップ部（２２）に連結する場合は、一端を該収納溝（２５）に嵌着する。この場合貫通孔（２６）はコネクタ本体（２１）の収納孔（２３）に連通する。
【００１７】
図６は、実施例による光ファイバ導線（３０）の断面図である。光ファイバ導線（３０）は、１本か、もしくは１本以上のコア（３１）と、コア（３１）を被覆するクラッド（３２）と、該クラッド（３２）を被覆する被覆層(３３)とによってなり、光ファイバ導線(３０)を使用する場合は、クラッド(３２)と被覆（３３）の一部を除去してコア（３１）を所定の長さだけ露出させる。被覆層（３３）の末端は、テーパ状開口部（２４）の形状に対応するテーパ状端面（３４）を形成する。よって、光ファイバ導線（３０）とコネクタ（２０）とを接続する場合、テーパ状端面（３４）がテーパ状開口部（２４）内に嵌着して連結する。
【００１８】
コネクタ（２０）と光ファイバ導線（３０）の一端を連結する場合は、先ずグリップ部（２２）の貫通孔（２６）から熱によって固形化する接着剤（２７）を適量注入し、図３に開示するように、収納孔（２３）とテーパ状開口部（２４）と貫通孔（２６）に充填する。次いで、光ファイバ導線（３０）をコネクタ（２０）内に挿入し、露出させたコア（３１）を収納孔（２３）内に挿入する。被覆層（３３）は貫通孔（２６）内に位置させ、被覆層（３３）のテーパ状端面（３４）をテーパ状開口部（２４）に嵌着する。この場合、図２、図２Ａに開示するように、テーパ状端面（３４）がテーパ状開口部（２４）の制限を受けるため、光ファイバ導線（３０）は引き続き上方に押し込むことができなくなる。
【００１９】
光ファイバ導線（３０）を挿入する場合、テーパ状端面（３４）はテーパ状開口部（２４）内に至り、接着剤（２７）内に発生する気泡を圧迫して排出する。このため、テーパ状開口部（２４）内の接着剤の量が減少する。
【００２０】
以上をまとめると、この考案においては光ファイバ導線（３０）の被覆層（３３）にテーパ状端面（３４）を形成し、該テーパ状端面（３４）によって接着剤（２７）を圧迫してテーパ状開口部（２４）に密着させる。このため、接着剤（２７）内に発生する気泡が完全に排出され、気泡が発生し、コア（３１）の周囲に集中することを効率良く防止することができ、従来の技術に見られるように、コア（３１）が切断され、特性を損失するといった問題を改善することができる。係る光ファイバ導線のテーパ状端面構造は、各種形式のコネクタに応用することができ、この考案による光ファイバ伝送線は、コネクタ本体を容易にソケットに接続することができ、光ファイバ通信の伝送距離を延長させ、安定した光信号を伝送することができる。
【００２１】
以上はこの考案の好ましい実施例であって、この考案の実施の範囲を限定するものではない。よって、当業者のなし得る修正、もしくは変更であって、この考案の精神の下においてなされ、この考案に対して均等の効果を有するものは、いずれも本考案の実用新案登録請求の範囲に属するものとする。
【図面の簡単な説明】
【００２２】
【図１】従来の光ファイバ伝送線の構造を示した断面図である。
【図１Ａ】図１の１Ａの部分の拡大図である。
【図２】この考案による光ファイバ伝送線の構造を示した断面図である。
【図２Ａ】図２の２Ａの部分の拡大図である。
【図３】この考案におけるコネクタの断面図である。
【図４】この考案におけるコネクタ本体の断面図である。
【図５】この考案におけるグリップ部の断面図である。
【図６】この考案における光ファイバ導線の断面図である。
【符号の説明】
【００２３】
１  コネクタ
２  光ファイバ導線
３  コネクタ本体
４  グリップ部
５  収納孔
６  貫通孔
７  コア
８  クラッド
９  被覆層
１０  接着剤
１１  テーパ状開口部
１２  気泡
２０  コネクタ
２１  コネクタ本体
２２  グリップ部
２３  収納孔
２４  テーパ状開口部
２５  収納溝
２６  貫通孔
２７  接着剤
３０  光ファイバ導線
３１  コア
３２  クラッド
３３  被覆層
３４  テーパ状端面
【図１】
0003102667.tif 000003
【図１Ａ】
0003102667.tif 000004
【図２】
0003102667.tif 000005
【図２Ａ】
0003102667.tif 000006
【図３】
0003102667.tif 000007
【図４】
0003102667.tif 000008
【図５】
0003102667.tif 000009
【図６】
0003102667.tif 000010